(57)【要約】【課題】衛星放送信号を、ＩＰ網を介して効率良く伝送すること。【解決手段】衛星放送信号を入力する入力手段（分配部１２）と、入力手段から入力された衛星放送信号が有する複数のトランスポンダ信号の少なくとも一部を復調してデジタルデータを得る復調手段（ＲＦチューナ１４、復調部１７）と、復調手段によって得られた各トランスポンダ信号に対応するデジタルデータ間の位相誤差を補正する補正手段（ＴＬＶ同期部１８）と、補正手段によって位相誤差が補正されたデジタルデータをパケット化するパケット化手段（ＩＰパケット生成部２０）と、パケット化手段によって得られたパケットに対して、再生の順序およびタイミングを示す同期情報を付加する付加手段（ＩＰパケット生成部２０）と、付加手段によって同期情報が付加されたパケットを、ＩＰ網を介して送信する送信手段（ＩＰ送受信部２１）と、を有する。【選択図】図２
2018093464.tif 000002
【特許請求の範囲】
【請求項１】
衛星放送信号を送信装置から受信装置にＩＰ網を介して伝送する伝送システムにおいて、
前記送信装置は、
前記衛星放送信号を入力する入力手段と、
前記入力手段から入力された前記衛星放送信号が有する複数のトランスポンダ信号の少なくとも一部を復調してデジタルデータを得る復調手段と、
前記復調手段によって得られた各トランスポンダ信号に対応する前記デジタルデータ間の位相誤差を補正する補正手段と、
前記補正手段によって前記位相誤差が補正された前記デジタルデータをパケット化するパケット化手段と、
前記パケット化手段によって得られたパケットに対して、再生の順序およびタイミングを示す同期情報を付加する付加手段と、
前記付加手段によって前記同期情報が付加された前記パケットを、前記ＩＰ網を介して送信する送信手段と、を有し、
前記受信装置は、
前記ＩＰ網を介して伝送された前記パケットを受信する受信手段と、
前記受信手段によって受信された前記パケットを前記同期情報に基づいて同期した後にデジタルデータ化するデータ化手段と、
前記データ化手段によって得られた前記デジタルデータを、所定の変調方式で変調して各トランスポンダのベースバンド信号を得る変調手段と、
前記変調手段によって得られた各トランスポンダのベースバンド信号が相互に重複しない周波数に再配置する再配置手段と、
前記再配置手段によって再配置されたベースバンド信号をデジタルアナログ変換によってアナログ信号に変換するデジタルアナログ変換手段と、
前記デジタルアナログ変換手段によって得られたアナログ信号の周波数を変換し、元の前記衛星放送信号を得る周波数変換手段と、を有する、
ことを特徴とする伝送システム。
【請求項２】
前記送信装置が有する前記補正手段は、処理対象となる全てのトランスポンダ信号を一の同期クロック信号に基づいて前記位相誤差を補正することを特徴とする請求項１に記載の伝送システム。
【請求項３】
前記補正手段は、前記復調手段によって得られた各トランスポンダの前記デジタルデータのＮＵＬＬ  ＴＬＶまたはＮＵＬＬ  ＴＳを削除し、前記同期クロック信号に基づいて新たなＮＵＬＬ  ＴＬＶまたはＮＵＬＬ  ＴＳを挿入することで前記デジタルデータ間の前記位相誤差を補正することを特徴とする請求項２に記載の伝送システム。
【請求項４】
前記受信装置は、前記送信装置と同じ前記同期クロック信号に基づいて動作し、
前記送信装置と前記受信装置は、前記ＩＰ網内もしくは前記ＩＰ網外に存在する前記同期情報、ＧＰＳ衛星から送信される前記同期情報、または、前記ＩＰ網とは異なる伝送網を伝送される前記同期情報に基づいて同期する、
ことを特徴とする請求項２または３に記載の伝送システム。
【請求項５】
前記周波数変換手段の後段に配置され、前記衛星放送信号を分配する分配手段を有することを特徴とする請求項１乃至４のいずれか１項に記載の伝送システム。
【請求項６】
前記分配手段は、前記衛星放送信号に対応する電気信号を分配することを特徴とする請求項５に記載の伝送システム。
【請求項７】
前記分配手段は、前記衛星放送信号に対応する電気信号を光信号に変換し、前記光信号を分配することを特徴とする請求項５に記載の伝送システム。
【請求項８】
衛星放送信号を送信装置から受信装置にＩＰ網を介して伝送する伝送システムの前記送信装置において、
前記衛星放送信号を入力する入力手段と、
前記入力手段から入力された前記衛星放送信号が有する複数のトランスポンダ信号の少なくとも一部を復調してデジタルデータを得る復調手段と、
前記復調手段によって得られた各トランスポンダ信号に対応するデジタルデータ間の位相誤差を補正する補正手段と、
前記補正手段によって前記位相誤差が補正されたデジタルデータをパケット化するパケット化手段と、
前記パケット化手段によって得られたパケットに対して、再生の順序およびタイミングを示す同期情報を付加する付加手段と、
前記付加手段によって前記同期情報が付加された前記パケットを、前記ＩＰ網を介して送信する送信手段と、
を有することを特徴とする送信装置。
【請求項９】
衛星放送信号を送信装置から受信装置にＩＰ網を介して伝送する伝送システムの前記受信装置において、
前記送信装置から前記ＩＰ網を介して伝送されたパケットを受信する受信手段と、
前記受信手段によって受信された前記パケットを、前記送信装置で付加された同期情報に基づいて同期した後にデジタルデータ化するデータ化手段と、
前記データ化手段によって得られたデジタルデータを、所定の変調方式で変調して各トランスポンダのベースバンド信号を得る変調手段と、
前記変調手段によって得られた各トランスポンダのベースバンド信号が相互に重複しない周波数に再配置する再配置手段と、
前記再配置手段によって再配置されたベースバンド信号をデジタルアナログ変換によってアナログ信号に変換するデジタルアナログ変換手段と、
前記デジタルアナログ変換手段によって得られたアナログ信号の周波数を変換し、元の前記衛星放送信号を得る周波数変換手段と、
を有することを特徴とする受信装置。
【発明の詳細な説明】
【技術分野】
【０００１】
本発明は、伝送システム、送信装置、および、受信装置に関するものである。
【背景技術】
【０００２】
地上デジタル放送信号をＩＰ（Internet Protocol）網を介して伝送する技術としては、例えば、文献１に開示された技術がある。
【０００３】
特許文献１に開示された技術では、送信装置は、地上デジタル放送信号のＲＦ信号からデジタルデータを抽出し、伝送路信号に変換してＩＰ網に送出し、受信装置はＩＰ網から受信したバイナリデータを、インターリーブ処理を行うことなくデジタル放送信号に再変換して出力する。
【０００４】
このような技術によれば地上デジタル放送を伝送する際に、アナログ伝送方式で必要とされる高い直線性を有する高価な回路が不要になるとともに、復調してＩＰ網を介して伝送する際に発生する遅延を低減することができる。
【０００５】
また、非特許文献１に開示された技術では、受信した信号を周波数被変調波とし、レーザダイオードから出力される光を周波数変調して伝送路に出力する。
【０００６】
非特許文献１に開示された技術によれば、１ＧＨｚを超える衛星放送のＩＦ信号をそのまま周波数多重して伝送することができる。
【先行技術文献】
【特許文献】
【０００７】
【特許文献１】特開２０１２−６０３０３号公報
【非特許文献】
【０００８】
【非特許文献１】ＮＴＴ技術ジャーナル  ２００７．５  ＦＭ一括変換技術を用いた広域映像配信
【発明の概要】
【発明が解決しようとする課題】
【０００９】
ところで、特許文献１に開示された技術は、地上デジタル放送に用いられているＯＦＤＭ（Orthogonal Frequency Division Multiplex）変調に最適化された方式を利用したものであることから、他の変調方式、例えば、ｎＰＳＫ（Phase Shift Keying）およびｍＡＰＳＫ（Amplitude Phase Shift Keying）（ｎ，ｍは相値）や、規格の異なるベースバンド信号の場合、データが抽出できなくなるという問題がある。
【００１０】
また、ＰＳＫおよびＡＰＳＫ変調では、ｎＱＡＭのような多値変調やＯＦＤＭ変調のような周波数分割多重方式に比べ多値化が少ない代わりにｂａｕｄレートを上げることで伝送容量を増加させる。このため、受信したアナログ信号をアナログデジタル変換したそのもののデータを直接伝送しようとすると、信号が復元できるダイナミックレンジとサンプリングレートの関係から前述の伝送方式よりも伝送容量が増えてしまうという問題がある。
【００１１】
また、技術文献１に開示された技術では、周波数変調はアナログ変調であるため光の強度が低下すると復調できなくなることから、伝送距離が短くなるという問題がある。このため、ヘッドエンド装置を受信装置の近くに配置する必要が生じることから、多数のヘッドエンド装置を要し、コストが高くなるという問題がある。
【００１２】
また、周波数変調は原理的には周波数帯域が無限大に広がるため、被変調波の変異が大きければ伝送路の帯域を大幅に占有する問題があった。
【００１３】
また、ＩＰリニア放送を利用して伝送する場合、受信装置にセットトップボックスが必要となり、テレビジョン受像機と２つの受信装置を、テレビジョン受像機ごとに配置しなければならないことから、高価で複雑なシステムとなるという問題がある。
【００１４】
さらに、複数のトランスポンダのデジタルデータが略等しい周波数の異なる基準信号でそれぞれ生成されている場合、このような基準信号の微小な位相誤差によって、あるタイミングでデジタルデータのカウント数がずれてしまう問題がある。同じタイミングで再度アナログ信号として送出されるためには、各トランスポンダの変調タイミングおよび変調クロックが各トランスポンダで同期している必要があるため、デジタルアナログ変換器や変調器をトランスポンダの個数分実装しなければならないという問題がある。
【００１５】
本発明は、以上の点を鑑みてなされたものであり、衛星放送信号を、ＩＰ網を介して効率良く伝送可能な伝送システム、送信装置、および、受信装置を提供することを目的としている。
【課題を解決するための手段】
【００１６】
上記課題を解決するために、本発明は、衛星放送信号を送信装置から受信装置にＩＰ網を介して伝送する伝送システムにおいて、前記送信装置は、前記衛星放送信号を入力する入力手段と、前記入力手段から入力された前記衛星放送信号が有する複数のトランスポンダ信号の少なくとも一部を復調してデジタルデータを得る復調手段と、前記復調手段によって得られた各トランスポンダ信号に対応する前記デジタルデータ間の位相誤差を補正する補正手段と、前記補正手段によって前記位相誤差が補正された前記デジタルデータをパケット化するパケット化手段と、前記パケット化手段によって得られたパケットに対して、再生の順序およびタイミングを示す同期情報を付加する付加手段と、前記付加手段によって前記同期情報が付加された前記パケットを、前記ＩＰ網を介して送信する送信手段と、を有し、前記受信装置は、前記ＩＰ網を介して伝送された前記パケットを受信する受信手段と、前記受信手段によって受信された前記パケットを前記同期情報に基づいて同期した後にデジタルデータ化するデータ化手段と、前記データ化手段によって得られた前記デジタルデータを、所定の変調方式で変調して各トランスポンダのベースバンド信号を得る変調手段と、前記変調手段によって得られた各トランスポンダのベースバンド信号が相互に重複しない周波数に再配置する再配置手段と、前記再配置手段によって再配置されたベースバンド信号をデジタルアナログ変換によってアナログ信号に変換するデジタルアナログ変換手段と、前記デジタルアナログ変換手段によって得られたアナログ信号の周波数を変換し、元の前記衛星放送信号を得る周波数変換手段と、を有する、ことを特徴とする。
このような構成によれば、衛星放送信号を、ＩＰ網を介して効率良く伝送することが可能になる。
【００１７】
また、本発明は、前記送信装置が有する前記補正手段は、処理対象となる全てのトランスポンダ信号を一の同期クロック信号に基づいて前記位相誤差を補正することを特徴とする。
このような構成によれば、全てのトランスポンダ信号を同一の同期クロック信号に基づいて位相誤差を補正することで、受信装置では全てのトランスポンダに対して同一の同期クロック信号を用いることができることから、装置の構成を簡略化できる。
【００１８】
また、本発明は、前記補正手段は、前記復調手段によって得られた各トランスポンダのデジタルデータのＮＵＬＬ  ＴＬＶまたはＮＵＬＬ  ＴＳを削除し、前記同期クロック信号に基づいて新たなＮＵＬＬ  ＴＬＶまたはＮＵＬＬ  ＴＳを挿入することで前記デジタルデータ間の前記位相誤差を補正することを特徴とする。
このような構成によれば、簡易な構成によって、トランスポンダのデジタルデータを確実に同期させることができる。
【００１９】
また、本発明は、前記受信装置は、前記送信装置と同じ同期クロック信号に基づいて動作し、前記送信装置と前記受信装置は、前記ＩＰ網内もしくは前記ＩＰ網外に存在する同期情報、ＧＰＳ衛星から送信される同期情報、または、前記ＩＰ網とは異なる伝送網を伝送される同期情報に基づいて同期する、ことを特徴とする。
このような構成によれば、送信装置と受信装置が高い精度で同期クロック信号を同期させることができる。
【００２０】
また、本発明は、前記周波数変換手段の後段に配置され、前記衛星放送信号を分配する分配手段を有することを特徴とする。
このような構成によれば、複数のテレビジョン受像機に対して衛星放送信号を供給することができる。
【００２１】
また、本発明は、前記分配手段は、前記衛星放送信号に対応する電気信号を分配することを特徴とする。
このような構成によれば、簡単な構成によって、複数のテレビジョン受像機に対して衛星放送信号を供給することができる。
【００２２】
また、本発明は、前記分配手段は、前記衛星放送信号に対応する電気信号を光信号に変換し、前記光信号を分配することを特徴とする。
このような構成によれば、信号の劣化を低減しつつ、複数のテレビジョン受像機に対して衛星放送信号を供給することができる。
【００２３】
また、本発明は、衛星放送信号を送信装置から受信装置にＩＰ網を介して伝送する伝送システムの前記送信装置において、前記衛星放送信号を入力する入力手段と、前記入力手段から入力された前記衛星放送信号が有する複数のトランスポンダ信号の少なくとも一部を復調してデジタルデータを得る復調手段と、前記復調手段によって得られた各トランスポンダ信号に対応するデジタルデータ間の位相誤差を補正する補正手段と、前記補正手段によって前記位相誤差が補正されたデジタルデータをパケット化するパケット化手段と、前記パケット化手段によって得られたパケットに対して、再生の順序およびタイミングを示す同期情報を付加する付加手段と、前記付加手段によって前記同期情報が付加された前記パケットを、前記ＩＰ網を介して送信する送信手段と、を有することを特徴とする。
このような構成によれば、衛星放送信号を、ＩＰ網を介して効率良く伝送することが可能になる。
【００２４】
また、本発明は、衛星放送信号を送信装置から受信装置にＩＰ網を介して伝送する伝送システムの前記受信装置において、前記送信装置から前記ＩＰ網を介して伝送されたパケットを受信する受信手段と、前記受信手段によって受信された前記パケットを、前記送信装置で付加された同期情報に基づいて同期した後にデジタルデータ化するデータ化手段と、前記データ化手段によって得られたデジタルデータを、所定の変調方式で変調して各トランスポンダのベースバンド信号を得る変調手段と、前記変調手段によって得られた各トランスポンダのベースバンド信号が相互に重複しない周波数に再配置する再配置手段と、前記再配置手段によって再配置されたベースバンド信号をデジタルアナログ変換によってアナログ信号に変換するデジタルアナログ変換手段と、前記デジタルアナログ変換手段によって得られたアナログ信号の周波数を変換し、元の前記衛星放送信号を得る周波数変換手段と、を有することを特徴とする。
このような構成によれば、衛星放送信号を、ＩＰ網を介して効率良く伝送することが可能になる。
【発明の効果】
【００２５】
本発明によれば、衛星放送信号を、ＩＰ網を介して効率良く伝送可能な伝送システム、送信装置、および、受信装置を提供することができる。
【図面の簡単な説明】
【００２６】
【図１】本発明の第１実施形態に係る伝送システムの構成例を示す図である。
【図２】図１に示す送信装置の構成例を示す図である。
【図３】図１に示す受信装置の構成例を示す図である。
【図４】図３に示す受信装置の詳細な構成例を示す図である。
【図５】本発明の第１実施形態のプロトコルスタックを示す図である。
【図６】高度ＢＳ・ＣＳ衛生放送信号の構成例を示す図である。
【図７】ＡＰＳＫ変調／復調の信号点配置の一例を示す図である。
【図８】送信装置から送信されるＲＴＰパケットの一例を示す図である。
【図９】送信装置から送信されるＲＴＣＰパケットの一例を示す図である。
【図１０】送信装置から送信されるパケットの一例を示す図である。
【図１１】図４に示すデジタルデータ展開部から出力される信号の一例を示す図である。
【図１２】図４に示す加算器の動作の一例を示す図である。
【図１３】図４に示すアナログアップコンバート部の動作の一例を示す図である。
【図１４】本発明の第２実施形態に係る受信装置の構成例を示す図である。
【図１５】本発明の第２実施形態のプロトコルスタックを示す図である。
【図１６】本発明の第３実施形態に係る送信装置の構成例を示す図である。
【図１７】本発明の第３実施形態に係る受信装置の構成例を示す図である。
【図１８】本発明の第３実施形態のプロトコルスタックを示す図である。
【図１９】本発明の第４実施形態に係る送信装置の構成例を示す図である。
【図２０】本発明の第４実施形態に係る受信装置の構成例を示す図である。
【図２１】本発明の第４実施形態のプロトコルスタックを示す図である。
【図２２】受信装置の後段に複数のテレビジョン受像機を接続する場合の構成例である。
【図２３】受信装置の後段に複数のテレビジョン受像機を接続する場合の他の構成例である。
【図２４】受信装置の後段に複数のテレビジョン受像機を接続する場合のさらに他の構成例である。
【発明を実施するための形態】
【００２７】
次に、本発明の実施形態について説明する。
【００２８】
（Ａ）本発明の第１実施形態の構成の説明
図１は、本発明の第１実施形態に係る伝送システムの構成例を示す図である。図１に示すように、本発明の第１実施形態に係る伝送システム１は、送信装置１０、ＩＰ（Internet Protocol）網３０、同期信号生成部４０、受信装置５０−１〜５０−ｎ（ｎ＞１）、テレビジョン受像機７０−１〜７０−ｎを有している。
【００２９】
ここで、送信装置１０は、例えば、信号配信センターに配置され、アンテナによって受信した衛星放送信号を復調してデジタルデータ化するとともに、パケット化した後にＩＰ網３０を介して受信装置５０−１〜５０−ｎに対して送信する。
【００３０】
ＩＰ網３０は、例えば、数百Ｍから数Ｇｂｐｓ程度の高速伝送が可能なＩＰ網によって構成され、送信装置１０から送信されるパケットを、受信装置５０−１〜５０−ｎのそれぞれに伝送する。
【００３１】
同期信号生成部４０は、例えば、ＩＰ網３０に配置され、同期情報を含むパケットを同期信号として生成し、送信装置１０および受信装置５０−１〜５０−ｎに供給し、これらの装置の同期を図る。なお、同期信号生成部４０は、ＩＰ網３０とは独立した構成とし、ＩＰ網３０に接続されるようにしてもよい。
【００３２】
受信装置５０−１〜５０−ｎは、例えば、各家庭や集合住宅の管理室等に配置され、ＩＰ網３０を介して伝送されたパケットを受信し、元の衛星放送信号を生成して、テレビジョン受像機７０−１〜７０−ｎに供給する。
【００３３】
テレビジョン受像機７０−１〜７０−ｎは、受信装置５０−１〜５０−ｎから供給される衛星放送信号を入力し、放送信号に含まれる映像信号、音声信号、データ信号を再生し、表示部に表示するとともに、スピーカから放音する。
【００３４】
図２は、図１に示す送信装置１０の詳細な構成例を示す図である。図２に示すように、送信装置１０は、アンテナ１１、分配部１２、送信ユニット１３−１〜１３−ｍ（ｍ＞１）、および、ＨＵＢ２３を有している。
【００３５】
ここで、アンテナ１１は、例えば、パラボラアンテナによって構成され、図示しない人工衛星から送信される衛星放送信号を受信し、電気信号に変換して分配部１２に供給する。
【００３６】
分配部１２は、アンテナ１１から供給される電気信号を、送信ユニット１３−１〜１３−ｍに分配して供給する。
【００３７】
送信ユニット１３−１〜１３−ｍは、分配部１２から供給される電気信号（衛星放送信号）を復調して得られたデジタルデータをパケット化し、ＨＵＢ２３を介して送信する。なお、送信ユニット１３−１〜１３−ｍは、全て同様の構成とされるので、以下では、送信ユニット１３−１を例に挙げて説明する。
【００３８】
送信ユニット１３−１は、ＲＦ（Radio Frequency）チューナ１４、Ａ／Ｄ（Analog to Digital）変換部１５、ＰＬＬ（Phase Locked Loop）１６、復調部１７、ＴＬＶ（Type Length Value）同期部１８、符号化部１９、ＩＰパケット生成部２０、ＩＰ送受信部２１、および、同期クロック再生部２２を有している。
【００３９】
ここで、ＲＦチューナ１４は、分配部１２から供給されるＲＦ信号から所望のトランスポンダ信号を抽出し、中間周波数の信号に変換して出力する。
【００４０】
Ａ／Ｄ変換部１５は、ＲＦチューナ１４から出力される中間周波数の信号（アナログ信号）をデジタル信号に変換して出力する。
【００４１】
ＰＬＬ１６は、同期クロック再生部２２から供給される同期クロック信号に基づいて所定の周波数の基準信号（例えば、正弦波）を生成してＲＦチューナ１４に供給するとともに、同期クロック信号に基づいて所定の周波数の基準信号を生成してＡ／Ｄ変換部１５に供給する。
【００４２】
復調部１７は、Ａ／Ｄ変換部１５から供給される所定のトランスポンダ信号を、例えば、ＰＳＫ（Phase Shift Keying）およびＡＰＳＫ（Amplitude and Phase Shift Keying）復調処理し、得られたデジタルデータ（ＴＳおよびＴＬＶストリーム）を出力する。
【００４３】
ＴＬＶ同期部１８は、復調部１７から出力されるＴＳおよびＴＬＶストリームを、同期クロック再生部２２から供給される同期クロック信号に基づいて位相誤差を補正して出力する。
【００４４】
符号化部１９は、ＴＬＶ同期部１８によって同期されたＴＳおよびＴＬＶストリームに対して、外符号付加、電力拡散、内符号付加、ビットインターリーブ等の処理を施して出力する。
【００４５】
ＩＰパケット生成部２０は、符号化部１９から出力されるＴＳおよびＴＬＶストリームを、パケット化するとともに、ＲＴＰ／ＲＴＣＰで規定される同期情報を付加して出力する。
【００４６】
ＩＰ送受信部２１は、ＩＰパケット生成部２０から出力されるパケットに対して、ＩＰヘッダおよびＵＤＰ（User Datagram Protocol）ヘッダ、ＲＴＰヘッダ、および、ＲＴＣＰヘッダ等を付加して出力する。
【００４７】
同期クロック再生部２２は、例えば、ＩＥＥＥ１５８８クライアントとＰＬＬとを有し、同期信号生成部４０によって生成される同期信号に基づいてＰＬＬが生成するクロック信号の周期を調整し、同期信号に同期した同期クロック信号を生成して出力する。
【００４８】
ＨＵＢ２３は、送信ユニット１３−１〜１３−ｍから供給されるパケットを多重化し、ＩＰ網３０に対して送出する。
【００４９】
図３は、図１に示す受信装置５０−１〜５０−ｎの概略の構成例を示す図である。なお、受信装置５０−１〜５０−ｎは同様の構成を有するので、以下では、受信装置５０−１を例に挙げ、受信装置５０として説明する。
【００５０】
図３に示すように、受信装置５０は、ＩＰ送受信部５１、デジタルデータ展開部５２、時間多重変調部５３、Ｄ／Ａ（Digital to Analog）変換部５４、アナログアップコンバート部５５、同期クロック再生部５６、および、ＰＬＬ５７を有している。
【００５１】
ＩＰ送受信部５１は、ＩＰ網３０から供給されるＩＰパケットを受信し、デジタルデータ展開部５２に供給する。
【００５２】
デジタルデータ展開部５２は、ＩＰ送受信部５１から供給されるパケットを、ＲＴＰに基づいて順序およびタイミングを調整する。また、デジタルデータ展開部５２は、ＲＴＣＰに基づいてジッタの低減処理を施すとともに、クロックスキューを調整して同期した後に出力する。
【００５３】
時間多重変調部５３は、デジタルデータ展開部５２から出力されるパケットに対してデフレーム処理を施すとともに、変調処理およびアップコンバート処理を施して出力する。
【００５４】
Ｄ／Ａ変換部５４は、時間多重変調部５３から供給されるデジタル信号を、ＰＬＬ５７から供給される基準信号に応じてアナログ信号に変換して出力する。
【００５５】
アナログアップコンバート部５５は、Ｄ／Ａ変換部５４から出力されるアナログ信号を、ＰＬＬ５７から供給される基準信号に応じてアップコンバートして出力する。
【００５６】
同期クロック再生部５６は、例えば、ＩＥＥＥ１５８８クライアントとＰＬＬとを有しており、同期信号生成部４０によって生成される同期信号に基づいて、ＰＬＬが生成するクロック信号の周期を調整し、同期信号に同期した同期クロック信号を生成して出力する。
【００５７】
ＰＬＬ５７は、同期クロック信号に基づいて所定の周波数の基準信号を生成してＤ／Ａ変換部５４に供給するとともに、同期クロックに基づいて所定の周波数の基準信号を生成してアナログアップコンバート部５５に供給する。
【００５８】
図４は、図３に示す受信装置５０の詳細な構成例を示す図である。図４に示すように、受信装置５０は、ＩＰ送受信部５１、デジタルデータ展開部５２−１〜５２−ｍ、デフレームマッピング処理部５３１−１〜５３１−ｍ、デジタルアップコンバート部５３２−１〜５３２−ｍ、加算器５３４、Ｄ／Ａ変換部５４、乗算器５５１，５５２、ＰＬＬ５７、加算器５５４、および、同期クロック再生部５６を有している。
【００５９】
ここで、ＩＰ送受信部５１は、ＩＰ網３０を介して伝送されるパケットを、トランスポンダ毎の別々のポートで受信し、対応するデジタルデータ展開部５２−１〜５２−ｍのそれぞれに供給する。より詳細には、送信ユニット１３−１から送信されたパケットはデジタルデータ展開部５２−１に供給され、同様にして、送信ユニット１３−２〜１３−ｍから送信されたパケットはデジタルデータ展開部５２−２〜５２−ｍにそれぞれ供給される。
【００６０】
デジタルデータ展開部５２−１〜５２−ｍは、ＩＰ送受信部５１から供給されるパケットを、同期クロックに基づいて順序およびタイミングを調整した後に出力する。
【００６１】
デフレームマッピング処理部５３１−１〜５３１−ｍは、デジタルデータ展開部５２−１〜５２−ｍから出力されるパケットに対してデフレーム処理を施すとともに、変調処理を施して出力する。
【００６２】
デジタルアップコンバート部５３２−１〜５３２−ｍは、デフレームマッピング処理部５３１−１〜５３１−ｍから出力されるデジタル信号を各々の帯域に周波数変換して出力する。
【００６３】
加算器５３４は、デジタルアップコンバート部５３２−１〜５３２−ｍから出力されるデジタル信号を加算して出力する。
【００６４】
Ｄ／Ａ変換部５４は、加算器５３４から出力されるデジタル信号をアナログ信号に変換して出力する。
【００６５】
乗算器５５１，５５２、ＰＬＬ５７、および、加算器５５４は、アナログ信号のアップコンバータを構成し、Ｄ／Ａ変換部５４から出力されるアナログ信号をアップコンバートして出力する。すなわち、乗算器５５１，５５２は、Ｄ／Ａ変換部５４から出力されるアナログ信号に対して、ＰＬＬ５７から出力される正弦波信号を乗算して出力する。なお、ＰＬＬ５７は、同期クロック再生部５６から供給される同期クロック信号に基づいて正弦波信号を生成する。加算器５５４は、乗算器５５１，５５２から出力される信号を加算して出力する。
【００６６】
同期クロック再生部５６は、ＩＰ送受信部５１を介して、同期信号生成部４０から受信する同期信号に基づいて同期クロック信号を生成し、デフレームマッピング処理部５３１−１〜５３１−ｍ、デジタルアップコンバート部５３２−１〜５３２−ｍ、および、ＰＬＬ５７に供給する。なお、図３では、図面を簡略化するために、同期クロック再生部５６からデフレームマッピング処理部５３１−１〜５３１−ｍおよびデジタルアップコンバート部５３２−１〜５３２−ｍに接続される接続線のうち、デフレームマッピング処理部５３１−１およびデジタルアップコンバート部５３２−１に接続される接続線のみを代表して示している。
【００６７】
（Ｂ）本発明の第１実施形態の動作の説明
つぎに、本発明の第１実施形態の動作について説明する。以下では、まず、同期クロック信号の生成動作について説明した後、送受信動作について説明する。
【００６８】
送信装置１０の同期クロック再生部２２と受信装置５０の同期クロック再生部５６は、同期信号生成部４０をマスタとし、同期クロック再生部２２および同期クロック再生部５６をそれぞれスレーブとして動作し、マスタが発生するマスタクロックにスレーブが同期することで、同期クロック再生部２２および同期クロック再生部５６が再生する同期クロック信号の周波数を同期することができる。なお、送信装置１０が有する送信ユニット１３−１〜１３−ｍが有する同期クロック再生部２２および受信装置５０が有する同期クロック再生部５６は全て同様の動作を行うことから、以下では、送信ユニット１３−１を例に挙げて説明を行う。
【００６９】
まず、送信ユニット１３−１の同期クロック再生部２２は、時刻の初期設定を行う。この時刻はずれていてもよい。つぎに、同期信号生成部４０は、参照信号Ａを送信ユニット１３−１に対して送信する。この時、同期信号生成部４０は、参照信号Ａを送信した送信時刻を送信時刻Ｔ１として記録する。同期クロック再生部２２は、同期信号生成部４０から送信された参照信号Ａを受信する。この時、同期クロック再生部２２は、参照信号Ａを受信した時刻を受信時刻Ｔ２として記録する。つぎに、同期信号生成部４０は、送信時刻Ｔ１を同期クロック再生部２２に対して送信する。以上の動作により、送信時刻Ｔ１と受信時刻Ｔ２を同期クロック再生部２２が有する状態となる。
【００７０】
つぎに、同期クロック再生部２２は、送信時刻Ｔ１と受信時刻Ｔ２の差分値を算出し、当該差分値を遅延情報Ｂとして同期信号生成部４０に送信するとともに、そのときの送信時刻Ｔ３を記録する。同期信号生成部４０は、遅延情報Ｂを受信するとともに、遅延情報Ｂを受信した受信時刻Ｔ４を記録する。このとき、同期信号生成部４０は、同期クロック再生部２２から同期信号生成部４０までの遅延時間を遅延情報Ｃとして記録する。
【００７１】
つぎに、同期信号生成部４０は、遅延情報Ｃを同期クロック再生部２２へ伝送する。これにより、同期クロック再生部２２は、同期信号生成部４０から同期クロック再生部２２への遅延情報Ｂと、同期クロック再生部２２から同期信号生成部４０への遅延情報Ｃを知ることができる。同期クロック再生部２２は、これらの遅延情報Ｂ，Ｃに基づいて、同期信号生成部４０と同期クロック再生部２２との間の遅延時間Ｄを正確に計測することができる。すなわち、遅延情報Ｂ＝Ｔ２−Ｔ１であり遅延情報Ｃ＝Ｔ４−Ｔ３であるため、遅延時間Ｄ＝（Ｂ−Ｃ）／２となり、これが負となる時は、同期クロック再生部２２は、初期設定時刻を調整するとともに、時刻のずれ（進み／遅れ）に応じて、時刻を生成するクロックの発振周波数を調整する。
【００７２】
以上の動作を定期的または不定期的に行うことで時刻のずれを調整することができ、同期信号生成部４０と送信ユニット１３−１の同期クロック再生部２２の間の同期が保たれる。
【００７３】
同様の動作は、送信ユニット１３−２〜１３−ｍと同期信号生成部４０との間でも実行されるので、送信ユニット１３−２〜１３−ｍが有する同期クロック再生部２２と同期信号生成部４０の間の同期が保たれる。
【００７４】
さらに、同様の動作は、受信装置５０−１〜５０−ｎと同期信号生成部４０との間でも実行されるので、受信装置５０−１〜５０−ｎが有する同期クロック再生部５６と同期信号生成部４０の間の同期が保たれる。
【００７５】
以上の動作により、送信ユニット１３−２〜１３−ｍの同期クロック再生部２２と同期信号生成部４０の同期が図られ、また、受信装置５０−１〜５０−ｎの同期クロック再生部５６の同期が図られることから、送信ユニット１３−２〜１３−ｍの全ての同期クロック再生部２２の同期が図られるとともに、送信ユニット１３−２〜１３−ｍの全ての同期クロック再生部２２と受信装置５０−１〜５０−ｎの全ての同期クロック再生部５６の同期が図られる。
【００７６】
図５は、プロトコルスタックを示している。図５（Ａ）に示すように、同期信号生成部４０と送信装置１０との間では、ＩＥＥＥ１５８８に規定されるＰＴＰ（Precision Time Protocol）に基づいて同期クロック再生部２２が同期される。また、図５（Ｂ）に示すように、同期信号生成部４０と受信装置５０との間でも、前述の場合と同様に、ＩＥＥＥ１５８８に規定されるＰＴＰに基づいて同期クロック再生部５６が同期される。
【００７７】
つぎに、送受信動作について説明する。図２に示すアンテナ１１は、例えば、図６に示すようなＢＳ左旋信号およびＣＳ左旋信号を図示しない人工衛星から受信する。図６の例では、ＢＳ左旋信号は、２２２４．４１〜２６８０．８７ＭＨｚの帯域を有し、１２のトランスポンダを有している。また、ＣＳ左旋信号は、２７０８．７５〜３２２３．２５ＭＨｚの帯域を有し、１３のトランスポンダを有している。
【００７８】
分配部１２は、アンテナ１１から供給される、図６に示すような放送信号を含む電気信号を分配して送信ユニット１３−１〜１３−ｍにそれぞれ供給する。
【００７９】
送信ユニット１３−１〜１３−ｍは、図６に示す少なくとも一部のトランスポンダのそれぞれに対応しており、各トランスポンダの信号をパケット化して出力する。例えば、送信ユニット１３−１は、ＢＳ左旋信号の符号「８」が付与されたトランスポンダの信号に対する処理を実行する。なお、送信ユニット１３−１〜１３−ｍの動作は同様であるので、以下では、送信ユニット１３−１の動作を例に挙げて説明する。
【００８０】
ＲＦチューナ１４は、例えば、分配部１２から供給される電気信号から図６に示す符号「８」が付与されたトランスポンダの信号を抽出し、中間周波数に周波数変換するとともに、信号レベルを一定にして出力する。
【００８１】
Ａ／Ｄ変換部１５は、ＲＦチューナ１４から出力される信号（アナログ信号）をデジタル信号に変換して出力する。
【００８２】
復調部１７は、Ａ／Ｄ変換部１５から供給される信号に対して、例えば、ＰＳＫおよびＡＰＳＫ復調を施し、得られたデジタルデータ（ＴＳおよびＴＬＶストリーム）を出力する。より詳細には、復調部１７は、例えば、図７に示すような信号点配置に基づいてＰＳＫおよびＡＰＳＫ変調が施されているＲＦ信号に対して、ＰＳＫおよびＡＰＳＫ復調を施し、図７の信号点の横に示す４ビットのデータに変換して出力する。なお、図７に示す信号点配置は一例であり、これ以外の配置であってもよい。例えば、４ビット以外のビット数でもよい。
【００８３】
ＴＬＶ同期部１８は、復調部１７から供給されるＴＳおよびＴＬＶストリームを、同期クロック再生部２２から供給される同期クロック信号に基づいて、同期して出力する。より詳細には、ＴＬＶ同期部１８は、まず、復調部１７から供給されるＴＳおよびＴＬＶストリームに含まれているＮＵＬＬ  ＴＬＶを削除する。つぎに、ＴＬＶ同期部１８は、同期クロック再生部２２から供給される同期クロック信号に基づいて、ＴＳおよびＴＬＶストリームのデータレートが一定になるように、ＴＳおよびＴＬＶストリームに対して、ＮＵＬＬ  ＴＬＶを適宜挿入する。この結果、ＴＬＶ同期部１８から出力されるＴＳおよびＴＬＶストリームは、略同周波数の異なる基準信号の位相誤差によってデータレートが高くまたは低くなる変化に対し、同期クロック再生部２２から供給される同期クロック信号に基づいた一定のデータレートに同期される。ここで、同期クロック再生部２２は、送信ユニット１３−１〜１３−ｍのそれぞれが有し、また、それぞれの送信ユニット１３−１〜１３−ｍが有する同期クロック再生部２２は、同期信号生成部４０から供給される同期信号に同期している。このため、送信ユニット１３−１〜１３−ｍのそれぞれが有するＴＬＶ同期部１８から出力されるＴＳおよびＴＬＶストリームは、同期が取れた状態となる。すなわち、複数のトランスポンダ間の同期が図られる。以上ではＮＵＬＬ  ＴＬＶを用いて同期を取る例を説明したが、ＮＵＬＬ  ＴＳを利用して同期を取ることもできる。なお、ＮＵＬＬ  ＴＬＶは、可変バイト長を利用しているので、ＮＵＬＬ  ＴＳと比較すると、一つの変調スロットを超えた場合でも同期調整ができるという効果が期待できる。
【００８４】
符号化部１９は、ＴＬＶ同期部１８から出力されるＴＳおよびＴＬＶストリームに対して、例えば、ＡＲＩＢ  ＳＴＤ−Ｂ４４（ＩＳＤＢ−Ｓ３）に基づいて、外符号の付加および電力拡散処理を行うとともに、内符号（ＬＤＰＣ）の付加を行った後、ビットインターリーブ等の処理を施して出力する。
【００８５】
ＩＰパケット生成部２０は、符号化部１９から出力されるＴＳおよびＴＬＶストリームをフレーミング（パケット化）するとともに、同期情報を付加して出力する。より詳細には、ＩＰパケット生成部２０は、符号化部１９から供給されるデジタルデータを所定の長さに分割して、図１０に示すパケットを構成する「ペイロードデータ」を生成するとともに、任意に決めることができる同期クロックでカウントするパケットの順序を示す「シーケンス番号」とサンプリングレートを示す「タイムスタンプ」を付加する。さらに、ＲＴＣＰパケットでは、図９に示すように、「パケット間隔ジッタ」を付加し、「最新送信レポートタイムスタンプ（ＬＳＲ）」と「最新送信レポート経過時間（ＤＳＬＲ）」を付加することで、受信側でクロックスキューを算出することができる。
【００８６】
ＩＰ送受信部２１は、図１０に示すように、ＩＰパケット生成部２０から供給されるＲＴＰパケット８３が付加されたデータに対して、ＵＤＰパケットおよびＩＰパケット８１を付加して出力する。
【００８７】
送信ユニット１３−１〜１３−ｍから出力される図１０に示すようなパケットは、ＨＵＢ２３によって多重化されてＩＰ網３０に送出される。
【００８８】
送信装置１０から送信されたパケットは、例えば、マルチキャストまたはユニキャストによって受信装置５０−１〜５０−ｎにそれぞれ伝送される。なお、受信装置５０−１〜５０−ｎの動作は同様であるので、以下では、受信装置５０−１を例に挙げ、受信装置５０−１を受信装置５０として図４を参照して動作を説明する。
【００８９】
ＩＰ送受信部５１は、図２に示す送信ユニット１３−１〜１３−ｍのそれぞれから送信されたパケットを、対応するポートによりそれぞれ受信して、デジタルデータ展開部５２−１〜５２−ｍに供給する。
【００９０】
デジタルデータ展開部５２−１〜５２−ｍは、ＩＰ送受信部５１から供給されるパケット（図２に示す送信ユニット１３−１〜１３−ｍからそれぞれ送信されるパケット）を入力する。
【００９１】
デジタルデータ展開部５２−１〜５２−ｍは、ＩＰ送受信部５１から供給されるパケットが有するＲＴＰパケット８３に含まれているシーケンス番号を参照してパケットの順序を必要に応じて変更するとともに、タイムスタンプ情報を参照してパケットの再生タイミングを特定する。この結果、デジタルデータ展開部５２−１〜５２−ｍからは、送信時と同じ順序およびタイミングで、図１０に示すパケットのデータ８４が出力される。
【００９２】
デフレームマッピング処理部５３１−１〜５３１−ｍは、デジタルデータ展開部５２−１〜５２−ｍから出力されるパケットに対してデフレーム処理を施してデジタルデータを取り出すとともに、例えば、ＰＳＫおよびＡＰＳＫ変調を施し、得られたデータを出力する。より詳細には、デフレームマッピング処理部５３１−１〜５３１−ｍは、図１０に示すパケットからデータ８４を取り出すとともに、取り出したデータを４ビット毎に分割し、４ビットのデータを、例えば、図７に示す信号点配置に基づいてＰＳＫおよびＡＰＳＫ変調を施して出力する。なお、前述のように、送信ユニット１３−１〜１３−ｍは、同期信号生成部４０の同期信号に同期して、ＮＵＬＬ  ＴＬＶおよびＮＵＬＬ  ＴＳの挿入または削除により位相誤差が補正されることから、データレートが一定になり、デフレームマッピング処理部５３１−１〜５３１−ｍから出力されるデジタルデータは同期された状態となる。
【００９３】
デジタルアップコンバート部５３２−１〜５３２−ｍは、デフレームマッピング処理部５３１−１〜５３１−ｍから供給されるデジタルデータをそれぞれアップコンバートして出力する。より詳細には、デジタルアップコンバート部５３２−１〜５３２−ｍは、デフレームマッピング処理部５３１−１〜５３１−ｍから供給されるデジタルデータを、それぞれが重複しない異なる周波数に基づいてアップコンバートすることで、例えば、図１１の（１）〜（ｍ）に示すような周波数配置を有する信号を出力する。なお、図１１の（１）〜（ｍ）は、デジタルアップコンバート部５３２−１〜５３２−ｍからの出力にそれぞれ対応している。
【００９４】
加算器５３４は、デジタルアップコンバート部５３２−１〜５３２−ｍから出力される信号を加算して出力する。この結果、加算器５３４から出力される信号は、図１２の上段に示す複数のトランスポンダが合成され、図１２の下段に示すように複数のトランスポンダが合成された信号となる。なお、図１２の例では、複数のトランスポンダは０〜略１ＧＨｚの周波数の範囲内に配置されている。
【００９５】
Ｄ／Ａ変換部５４は、加算器５３４から出力されるデジタル信号をアナログ信号に変換して出力する。この結果、図１２の下段に示す複数のトランスポンダからなるデジタル信号が、同じ周波数特性を有するアナログ信号に変換される。
【００９６】
乗算器５５１，５５２、ＰＬＬ５７、および、加算器５５４は、Ｄ／Ａ変換部５４から出力されるアナログ信号をアップコンバートして出力する。この結果、図１３の上段に示すＤ／Ａ変換部５４の出力信号は、アップコンバートされ、図１３の下段に示す信号となって加算器５５４から出力される。図１３の例では、上段に示す０〜略１ＧＨｚの周波数範囲に配置される入力信号は、下段に示すように略２．２〜略３．２ＧＨｚの周波数範囲に配置される信号として出力される。
【００９７】
加算器５５４から出力される信号は、図５に示す、アンテナ１１によって受信される信号と同じ信号であるので、このような信号をテレビジョン受像機７０−１に供給することで、人工衛星からアンテナを使用して受信した場合と同様に当該衛星放送信号を再生することができる。
【００９８】
以上に説明したように、本発明の実施形態では、送信装置から受信装置に対してデジタル信号を送信するようにしたので、アナログ信号を送信する場合に比較して、伝送距離を飛躍的に伸ばすことができる。
【００９９】
また、本発明の実施形態では、送信装置１０では、復調処理によって得られたデータを送信するようにしたので、伝送容量を少なくすることができる。
【０１００】
また、本発明の実施形態では、ＲＴＰ／ＲＴＣＰによってパケットの並べ替えを行うとともに、再生タイミングを同期するようにしたので、音声や映像を遅延なく再生することができる。
【０１０１】
また、本発明の実施形態では、全ての送信ユニット１３−１〜１３−ｍが同じ同期信号生成部４０から供給される同期信号に同期して動作するようにしたので、受信装置５０において同じ同期クロック信号によって処理できるようになる。このため、個別の同期クロック信号を用いる場合に比較して、装置の構成を簡略化することができる。
【０１０２】
また、受信装置５０において、同期クロック再生部５６から供給される同期クロック信号に基づいて全てのトランスポンダを処理するようにしたので、１つのＤ／Ａ変換部５４によって全てのトランスポンダの信号をＤ／Ａ変換することができる。これにより、装置の構成を簡略化することができる。また、図４に示す回路をＩＣ（Integrated Circuit）化した場合には、さらなる小型化および低コスト化を図ることができる。
【０１０３】
（Ｃ）本発明の第２実施形態の構成の説明
つぎに、本発明の第２実施形態について説明する。なお、第２実施形態では、送信装置１０の構成は図１と同様であり、受信装置５０−１〜５０−ｎの構成が異なっているので、以下では、受信装置５０−１〜５０−ｎの構成について説明する。
【０１０４】
図１４は、本発明の第２実施形態に係る受信装置の構成例を示す図である。なお、図１４において、図２と対応する部分には同一の符号を付してその説明を省略する。図１４では、図２と比較すると、ＩＰ送受信部５１がＩＰ受信部７１に置換され、同期クロック再生部５６が同期クロック再生部７２に置換されている。これら以外の構成は図２と同様である。
【０１０５】
ここで、同期クロック再生部７２は、ＲＴＰ／ＲＴＣＰを利用して同期クロック信号を再生する。また、同期クロック再生部５６のように、同期信号生成部４０との間でＰＴＰに基づく参照情報を授受する機能は有しない。このため、ＩＰ受信部７１は、ＩＰ網３０を介してＩＰパケットを受信する機能だけを有し、ＩＰパケットを送信する機能を有しない。
【０１０６】
（Ｄ）本発明の第２実施形態の動作の説明
つぎに、本発明の第２実施形態の動作について説明する。第２実施形態では、図１５（Ａ）のプロトコルスタックに示すように、ＩＥＥＥのＰＴＰに基づいて送信装置１０の送信ユニット１３−１〜１３−ｍが有する全ての同期クロック再生部２２を同期させる動作は第１実施形態と同様である。これにより、送信ユニット１３−１〜１３−ｍが有する全ての同期クロック再生部２２が同期する。
【０１０７】
一方、図１５（Ｂ）に示すように、受信装置５０−１〜５０−ｎは、ＰＴＰによる同期クロック信号の同期は実行しない。すなわち、第２実施形態では、受信装置５０−１〜５０−ｎは、ＵＤＰによってリアルタイム性を確保した状態で、ＲＴＰ／ＲＴＣＰを利用して同期クロック再生部７２が同期クロックを再生する。このとき、受信するトランスポンダのデータは全てＰＴＰによって同期が取れているので、ＲＴＰで再生された同期クロックも同期信号生成部４０に対して同期が取れた状態となる。このため、音声や映像を遅延なく再生することができる。
【０１０８】
以上に説明したように、本発明の第２実施形態によれば、第１実施形態と同様の効果が期待できる。また、第２実施形態では、受信装置５０−１〜５０−ｎが同期信号生成部４０との間で前述したＩＥＥＥ１５８８のＰＴＰに基づく処理を実行する必要がなくなることから、受信装置５０−１〜５０−ｎの構成を簡略化することができる。
【０１０９】
（Ｅ）本発明の第３実施形態の構成の説明
つぎに、本発明の第３実施形態について説明する。図１６は本発明の第３実施形態に係る送信装置１０の構成例を示す図である。なお、図１６において図２と対応する部分には同一の符号を付してその説明を省略する。図１６では、図１と比較すると、ＩＰ送受信部２１がＩＰ送信部２４に置換され、同期クロック再生部２２が同期クロック再生部２５に置換され、ＧＰＳ受信部２６が付加されている。また、図１に示す構成から同期信号生成部４０が除外されている。
【０１１０】
ここで、ＩＰ送信部２４は、ＩＰ送受信部２１から同期信号生成部４０との間で参照情報を授受する機能を除外したものである。また、同期クロック再生部２５は、ＧＰＳ受信部２６から供給されるパルス信号に基づいて同期クロック信号を再生して出力する。ＧＰＳ受信部２６は、図示しない複数のＧＰＳ衛星から送信される時刻情報を受信し、パルス信号（例えば、１ＰＰＳ（Pulse Per Second）信号）を生成して同期クロック再生部２５に供給する。
【０１１１】
図１７は、第３実施形態に係る受信装置５０の構成例を示す図である。なお、図１７において図３と対応する部分には同一の符号を付してその説明を省略する。図３と比較すると、図１７ではＩＰ送受信部５１がＩＰ受信部７１に置換され、同期クロック再生部５６が同期クロック再生部７３に置換されるとともに、ＧＰＳ受信部７４が新たに追加されている。
【０１１２】
ここで、ＩＰ受信部７１は、ＩＰ送受信部５１から同期信号生成部４０との間で参照情報を授受する機能を除外したものである。また、同期クロック再生部７３は、ＧＰＳ受信部７４から供給されるパルス信号に基づいて同期クロック信号を再生して出力する。ＧＰＳ受信部７４は、図示しない複数のＧＰＳ衛星から送信される時刻情報を受信し、パルス信号を生成して同期クロック再生部７３に供給する。
【０１１３】
（Ｆ）本発明の第３実施形態の動作の説明
つぎに、本発明の第３実施形態の動作について説明する。第３実施形態では、図１８（Ａ），（Ｂ）のプロトコルスタックに示すように、送信装置１０および受信装置５０−１〜５０−ｎは、ＰＴＰによる同期クロックによる同期は実行しない。第３実施形態では、同期クロック再生部２５は、ＧＰＳ受信部２６から供給されるパルス信号（例えば、１ＰＰＳ信号）に基づいて同期を行う。すなわち、ＧＰＳ受信部２６から供給されるパルス信号は、セシウムまたはルビジウムの原子時計による時間情報から生成されることから、非常に高い精度を有している。同期クロック再生部２５は、このような高精度のパルス信号に基づいて同期クロック信号を調整することから同期クロックは高精度となる。このため、送信ユニット１３−１〜１３−ｍが有する全ての同期クロック再生部２５が生成する同期クロックは高い精度で同期が図られる。
【０１１４】
一方、受信装置５０の同期クロック再生部７３は、ＧＰＳ受信部７４から供給される高精度のパルス信号に基づいて同期を行うことから、同期クロックは高精度となる。
【０１１５】
このため、送信装置１０を構成する送信ユニット１３−１〜１３−ｍが有する全ての同期クロック再生部２５が生成する同期クロックは高い精度で同期が図られるとともに、受信装置５０が有する同期クロック再生部７３が生成する同期クロックは高い精度で同期が図られることになる。このため、音声や映像を遅延なく再生することができる。
【０１１６】
以上に説明したように、本発明の第３実施形態によれば、第１実施形態と同様の効果が期待できる。また、第３実施形態では、ＧＰＳを用いて同期クロック信号の同期を図ることから、汎用性が高いＧＰＳ受信部を流用することで、装置の製造コストを低減することができる。
【０１１７】
（Ｇ）本発明の第４実施形態の構成の説明
つぎに、本発明の第４実施形態について説明する。図１９は本発明の第４実施形態に係る送信装置１０の構成例を示す図である。なお、図１９において図２と対応する部分には同一の符号を付してその説明を省略する。図１９では、図２と比較すると、ＩＰ送受信部２１がＩＰ送信部２４に置換され、同期クロック再生部２２が同期クロック再生部２７に置換されるとともに、伝送網２８が新たに付加されている。また、図１に示す構成から同期信号生成部４０が除外されている。
【０１１８】
ここで、ＩＰ送信部２４は、ＩＰ送受信部２１から同期信号生成部４０との間で参照情報を授受する機能を除外したものである。また、同期クロック再生部２７は、伝送網２８を伝送されるクロック信号に基づいて同期クロック信号を再生して出力する。さらに、伝送網２８は、例えば、ＩＰ網３０とは異なる光伝送網であり、光伝送網を伝送されるデジタル信号には、クロック信号が付加されているので、このクロック信号をクロック・データ・リカバリによって取り出すことができる。第４実施形態では、このようなクロック信号を流用することで、同期クロック再生部２７が生成するクロックを同期する。
【０１１９】
図２０は、第４実施形態に係る受信装置５０の構成例を示す図である。なお、図２０において図３と対応する部分には同一の符号を付してその説明を省略する。図３と比較すると、図２０ではＩＰ送受信部５１がＩＰ受信部７１に置換され、同期クロック再生部５６が同期クロック再生部７５に置換されるとともに、伝送網２８が新たに追加されている。
【０１２０】
ここで、ＩＰ受信部７１は、ＩＰ送受信部５１から同期信号生成部４０との間で参照情報を授受する機能を除外したものである。また、同期クロック再生部７５は、伝送網２８を伝送されるクロック信号に基づいて同期クロック信号を再生して出力する。さらに、伝送網２８は、前述のように、ＩＰ網３０とは異なる光伝送網である。受信装置５０では、光伝送網を伝送されるデジタル信号に付加されているクロック信号をクロック・データ・リカバリによって取り出して流用することで、同期クロック再生部７５が生成するクロックを同期する。
【０１２１】
（Ｆ）本発明の第４実施形態の動作の説明
つぎに、本発明の第４実施形態の動作について説明する。第４実施形態では、図２１（Ａ），（Ｂ）のプロトコルスタックに示すように、送信装置１０および受信装置５０−１〜５０−ｎは、ＰＴＰによる同期クロックによる同期は実行しない。第４実施形態では、同期クロック再生部２７は、伝送網２８を伝送されるクロック信号を、クロック・データ・リカバリによって取り出し、このクロック信号に基づいて同期クロック再生部２７が生成するクロックの周波数が一定になるように調整する。このような同期動作は、送信ユニット１３−１〜１３−ｍが有する各同期クロック再生部２７において実行されるので、全ての同期クロック再生部２７が生成する同期クロックが同期される。
【０１２２】
一方、受信装置５０も同様に、伝送網２８を伝送されるクロック信号を、クロック・データ・リカバリによって取り出し、このクロック信号に基づいて同期クロック再生部７５が生成するクロックの周波数が一定になるように調整する。この結果、送信ユニット１３−１〜１３−ｍの全ての同期クロック再生部２７と同期クロック再生部７５が生成するクロックが同期する。このため、音声や映像を遅延なく再生することができる。
【０１２３】
以上に説明したように、本発明の第４実施形態によれば、第１実施形態と同様の効果が期待できる。また、第４実施形態では、伝送網２８を伝送されるクロック信号を流用することで、例えば、ＧＰＳ衛星からの信号が届かない場所でもクロック信号の同期を図ることができる。
【０１２４】
（Ｃ）変形実施形態の説明
以上の実施形態は一例であって、本発明が上述したような場合のみに限定されるものでないことはいうまでもない。例えば、図１に示す実施形態では、受信装置５０−１〜５０−ｎには１台のテレビジョン受像機７０−１〜７０−ｎが接続されるようにしたが、複数台のテレビジョン受像機が接続されるようにしてもよい。例えば、受信装置を集合住宅の管理室に設置し、各居住者の部屋に配置されているテレビジョン受像機（複数）に対して衛星放送信号を配信するようにしてもよい。
【０１２５】
より詳細には、例えば、図２２〜図２４に示すように受信装置５０−１の後段に複数のテレビジョン受像機が接続されるようにしてもよい。図２２の例では、受信装置５０−１の後段に分配器６１−１を設け、分配器６１−１によって分配された電気信号を、テレビジョン受像機７０−１−１〜７０−１−ｐ（ｐ＞１）に供給する例を示している。なお、図２２では、図１に示す受信装置５０−１を例に挙げて説明しているが、受信装置５０−２〜５０−ｎについても図２２と同様の構成としてもよいことはいうまでもない。
【０１２６】
図２３は、光信号を分配する例を示している。すなわち、図２３の例では、受信装置５０−１の後段に電気信号を光信号に変換するＥ／Ｏ６２−１を配置し、Ｅ／Ｏ６２−１の光出力を光分配器６３−１によって分配し、光信号を電気信号に変換するＯ／Ｅ６４−１〜６４−ｐ（ｐ＞１）によって電気信号に変換した後、テレビジョン受像機７０−１−１〜７０−１−ｐに供給している。なお、図２３では、図１に示す受信装置５０−１を例に挙げて説明しているが、受信装置５０−２〜５０−ｎについても図２３と同様の構成としてもよいことはいうまでもない。
【０１２７】
図２４は、光信号を分配する他の例を示している。すなわち、図２４の例では、受信装置５０−１の後段に電気信号を分配する分配器６３−１を配置し、分配器６３−１によって分配された電気信号を光信号に変換するＥ／Ｏ６２−１〜６２−ｑを配置し、Ｅ／Ｏ６２−１から出力される光信号をマルチポート光アンプ６５−１によって増幅した後に分配し、Ｏ／Ｅ６４−１〜６４−ｐ（ｐ＞１）によって電気信号に変換した後、テレビジョン受像機７０−１−１〜７０−１−ｐに供給している。なお、図２４では、図１に示す受信装置５０−１を例に挙げて説明しているが、受信装置５０−２〜５０−ｎについても図２４と同様の構成としてもよいことはいうまでもない。また、図２４の例では、図面を簡略化するためにＥ／Ｏ６２−１の後段のみを例示しているが、Ｅ／Ｏ６２−２〜６２−ｑの後段についてもＥ／Ｏ６２−１と同様の構成とすることができる。
【０１２８】
なお、図２２〜図２４において、受信装置５０−１、分配器６１−１、Ｅ／Ｏ６２−１〜６２−ｑ、および、光分配器６３−１等については、例えば、集合住宅の管理室や、ＣＡＴＶシステムのサブセンタ等に配置することができる。
【０１２９】
また、図２２〜図２４の構成については、集合住宅の既存の館内配線、既存の光ネットワークシステム、既存の電気ネットワークシステムを流用し、これらの配線またはネットワークに対して、本発明の電気信号または光信号を伝送するようにしてもよい。
【０１３０】
また、以上の実施形態では、図６に示すＢＳ左旋信号およびＣＳ左旋信号を処理対象としたが、これら以外の衛星放送を処理対象としてもよい。また、図６に示すトランスポンダは一例であり、これら以外のトランスポンダを対象とするようにしてもよい。
【０１３１】
また、図２に示す実施形態では、アンテナ１１によって受信された衛星放送信号を処理対象としたが、アンテナ１１以外の手段によって衛星放送信号を受信するようにしてもよい。
【０１３２】
また、図７に示す信号点配置は、一例であって、これ以外の配置を用いるようにしてもよい。例えば、内側と外側の円の半径が図７に示すものとは異なってもよい。あるいは、各信号点と４ビットデータの対応関係を変えてもよい。さらに、図７の例は１６ＡＰＳＫであるが、例えば、ＢＰＳＫ（Binary Phase Shift Keying）、ＱＰＳＫ（Quadrature Phase Shift Keying）、８ＰＳＫ、または、３２ＡＰＳＫ等を用いたり、ＯＦＤＭ（Orthogonal Frequency Division Multiplexing）を含む他の方式を用いたりするようにしてもよい。
【０１３３】
また、以上の実施形態では、パケットの並べ替えと、再生タイミングを特定するプロトコルとしてＲＴＰを用いるようにしたが、これ以外のプロトコルを用いるようにしてもよい。
【０１３４】
また、以上の実施形態では、変調および復調としては、ＰＳＫおよび１６ＡＰＳＫを例に挙げて説明したが、これ以外の変調および復調方式を用いるようにしてもよい。例えば、多値変調（ｘＱＡＭ（Quadrature Amplitude Modulation）、ＯＦＤＭ、ＬＴＥ（Long Term Evolution））や、拡散符号変調（ＷＣＤＭＡ（登録商標）（Wideband Code Division Multiple Access）、ＣＤＭＡ（Code Division Multiple Access））等を用いるようにしてもよい。
【０１３５】
また、以上の実施形態では、送信装置１０と受信装置５０−１〜５０−ｎは、ＩＥＥＥ１５８８規格に基づいて同期クロック信号を同期させるようにしたが、ＩＥＥＥ１５８８以外の方法によって同期を図るようにしてもよい。
【０１３６】
また、以上の第１および第２実施形態では、ＩＰ網３０内に配置された同期信号生成部４０がＩＥＥＥ１５８８のマスタとして動作するようにしたが、同期信号生成部４０はＩＰ網３０の外部に配置されるようにしてもよい。あるいは、送信ユニット１３−１〜１３−ｍのいずれかの同期クロック再生部２２がマスタとして動作し、他の同期クロック再生部２２および受信装置５０の同期クロック再生部５６がスレーブとして動作するようにしてもよい。もちろん、いずれかの同期クロック再生部５６がマスタとして動作し、それ以外の同期クロック再生部５６および同期クロック再生部２２がスレーブとして動作するようにしてもよい。
【符号の説明】
【０１３７】
１  伝送システム
１０  送信装置
１１  アンテナ
１２  分配部（入力手段）
１３−１〜１３−ｍ  送信ユニット
１４  ＲＦチューナ
１５  Ａ／Ｄ変換部
１６  ＰＬＬ
１７  復調部（復調手段）
１８  ＴＬＶ同期部（補正手段）
１９  符号化部
２０  ＩＰパケット生成部（パケット化手段、付加手段）
２１  ＩＰ送受信部（送信手段）
２２  同期クロック再生部
２３  ＨＵＢ
３０  ＩＰ網
４０  同期信号生成部
５０−１〜５０−ｎ  受信装置
５１  ＩＰ送受信部５１（受信手段）
５２−１〜５２−ｍ  デジタルデータ展開部（データ化手段の一部）
５３１−１〜５３１−ｍ  デフレームマッピング処理部（データ化手段の一部、変調手段）
５３２−１〜５３２−ｍ  デジタルアップコンバート部（再配置手段の一部）
５３４  加算器（再配置手段の一部）
５４  Ｄ／Ａ変換部（デジタルアナログ変換手段）
５５１，５５２  乗算器（周波数変換手段の一部）
５６  同期クロック再生部
５７  ＰＬＬ（周波数変換手段の一部）
５５４  加算器（周波数変換手段の一部）
７０−１〜７０−ｎ  テレビジョン受像機
【図１】
2018093464.tif 000003
【図２】
2018093464.tif 000004
【図３】
2018093464.tif 000005
【図４】
2018093464.tif 000006
【図５】
2018093464.tif 000007
【図６】
2018093464.tif 000008
【図７】
2018093464.tif 000009
【図８】
2018093464.tif 000010
【図９】
2018093464.tif 000011
【図１０】
2018093464.tif 000012
【図１１】
2018093464.tif 000013
【図１２】
2018093464.tif 000014
【図１３】
2018093464.tif 000015
【図１４】
2018093464.tif 000016
【図１５】
2018093464.tif 000017
【図１６】
2018093464.tif 000018
【図１７】
2018093464.tif 000019
【図１８】
2018093464.tif 000020
【図１９】
2018093464.tif 000021
【図２０】
2018093464.tif 000022
【図２１】
2018093464.tif 000023
【図２２】
2018093464.tif 000024
【図２３】
2018093464.tif 000025
【図２４】
2018093464.tif 000026